(57)【要約】【課題】ＤＶＤプレイヤ等のリモコン装置でテレビジョン受像機等をも操作可能にする遠隔操作システムを提供する。【解決手段】ＤＶＤプレイヤにＨＤＭＩケーブルを介してテレビジョン受像機が接続されると、ＨＤＭＩ認証が行われ、ＥＤＩＤデータがテレビジョン受像機から取得され、テレビジョン受像機のメーカ名が判別される。メーカ名が例えばＡ社であると判別された場合には、メーカ名とリモコンコードとの対応関係を示すテーブルが参照され、判別されたメーカ名Ａ社に対応するリモコンコードが選択される。Ａ社のリモコンコードの選択が行われた後、選択されたリモコンコードが送信される。リモコン装置では、複数の操作キーに予め割り当てされた操作キー番号に対応させて、ＤＶＤプレイヤから受信したメーカ名Ａ社に対応するリモコンコードがメモリに記憶される。【選択図】図１
2008098963.tif 000002
【特許請求の範囲】
【請求項１】
メイン操作対象機器と、このメイン操作対象機器と所定のインターフェイスのケーブルを介して接続された他の操作対象機器とを、１個のリモコン装置により遠隔操作できるように構成された遠隔操作システムであって、
前記メイン操作対象機器に、所定のインターフェイスのケーブルを介して前記他の操作対象機器と接続されたか否かを判定する接続判定手段と、前記接続されたと判定されたときに前記所定のインターフェイスの認証を行う認証処理手段と、前記認証が完了した後、リモコンコード設定モードに設定されている場合に、前記他の操作対象機器からメーカ名を含む所定形式の識別子データを取得する識別子データ取得手段と、前記取得された識別子データから前記他の操作対象機器のメーカ名を判別するメーカ名判別手段と、メーカ名とリモコンコードとの対応関係を示すテーブルを参照して前記判別されたメーカ名に対応するリモコンコードを選択するリモコンコード選択手段と、前記選択されたリモコンコードを前記リモコン装置に送信させる機器側リモコンコード送信制御手段とを設け、
前記リモコン装置に、リモコンコード設定モードに設定されている場合に、前記メイン操作対象機器からのリモコンコードを受信させるリモコンコード受信制御手段と、複数の操作キーに予め割り当てされた操作キー番号に対応させて前記受信した当該メーカ名に対応するリモコンコードをメモリに記憶させるリモコンコード記憶処理手段と、前記受信したリモコンコードが正しいかどうかの確認のために前記受信したリモコンコードを前記メイン操作対象機器に送信させるリモコンコード送信制御手段とを設け、
更に、前記メイン操作対象機器に、リモコンコード設定モードに設定されている場合に、前記リモコン装置からのリモコンコードを受信させる機器側リモコンコード受信制御手段と、前記リモコン装置から確認のために受信されたリモコンコードと送信したリモコンコードとが一致するか否かを判定するリモコンコード判定手段と、両リモコンコードが一致すると判定されたときに表示手段にリモコンコード設定完了を示すメッセージを表示させ、両リモコンコードが一致しないと判定されたときに表示手段にリモコンコード設定失敗を示すメッセージを表示させるメッセージ表示処理手段を設けたことを特徴とする遠隔操作システム。
【請求項２】
メイン操作対象機器と、このメイン操作対象機器と所定のインターフェイスのケーブルを介して接続された他の操作対象機器とを、１個のリモコン装置により遠隔操作できるように構成された遠隔操作システムであって、
前記メイン操作対象機器に、所定のインターフェイスのケーブルを介して前記他の操作対象機器と接続されたか否かを判定する接続判定手段と、前記接続されたと判定されたときに前記所定のインターフェイスの認証を行う認証処理手段と、前記認証が完了した後、リモコンコード設定モードに設定されている場合に、前記他の操作対象機器からメーカ名を含む所定形式の識別子データを取得する識別子データ取得手段と、前記取得された識別子データから前記他の操作対象機器のメーカ名を判別するメーカ名判別手段と、メーカ名とリモコンコードとの対応関係を示すテーブルを参照して前記判別されたメーカ名に対応するリモコンコードを選択するリモコンコード選択手段と、前記選択されたリモコンコードを前記リモコン装置に送信させる機器側リモコンコード送信制御手段とを設け、
前記リモコン装置に、リモコンコード設定モードに設定されている場合に、前記メイン操作対象機器からのリモコンコードを受信させるリモコンコード受信制御手段と、複数の操作キーに予め割り当てされた操作キー番号に対応させて前記受信した当該メーカ名に対応するリモコンコードをメモリに記憶させるリモコンコード記憶処理手段とを設けたことを特徴とする遠隔操作システム。
【請求項３】
前記リモコン装置に、前記受信したリモコンコードが正しいかどうかの確認のために前記受信したリモコンコードを前記メイン操作対象機器に送信させるリモコンコード送信制御手段を設け、
前記メイン操作対象機器に、リモコンコード設定モードに設定されている場合に、前記リモコン装置からのリモコンコードを受信させる機器側リモコンコード受信制御手段と、前記リモコン装置から確認のために受信されたリモコンコードと送信したリモコンコードとが一致するか否かを判定するリモコンコード判定手段と、両リモコンコードが一致すると判定されたときに表示手段にリモコンコード設定完了を示すメッセージを表示させ、両リモコンコードが一致しないと判定されたときに表示手段にリモコンコード設定失敗を示すメッセージを表示させるメッセージ表示処理手段を設けたことを特徴とする請求項２に記載の遠隔操作システム。
【発明の詳細な説明】
【技術分野】
【０００１】
本発明は、メイン操作対象機器（例えばＤＶＤプレイヤ）と、このメイン操作対象機器と所定のインターフェイス（例えばＨＤＭＩ）のケーブルを介して接続された他の操作対象機器（例えばテレビジョン受像機）とを、１個のリモコン装置により遠隔操作できるように構成された遠隔操作システムに関する。
【背景技術】
【０００２】
光ディスクであるＤＶＤに記録された情報を再生するＤＶＤプレイヤ、あるいはＤＶＤに対して情報の記録／再生を行うＤＶＤレコーダ、あるいはテレビジョン受像機などのようなリモコン装置の操作対象である機器は、それぞれの付属のリモコン装置により遠隔操作することができるように構成されている。そして、機能が多い操作対象機器ほどリモコン装置の操作キーが多くなるが、これらのリモコン装置を共通化して１個のリモコン装置で複数の操作対象機器を操作したいと言う要望がある。例えば、ＤＶＤプレイヤにテレビジョン受像機を接続した場合、ＤＶＤプレイヤの機能の方がテレビジョン受像機の機能よりも多いので、ＤＶＤプレイヤに付属されているリモコン装置により、テレビジョン受像機をも操作できるようにすれば、１個のリモコン装置でＤＶＤプレイヤとテレビジョン受像機を操作することが可能になる。
【０００３】
そこで、特許文献１に記載の従来技術では、デジタルインターフェイスによって接続された複数の機器からシリアルバスを用いて各機器を制御するリモコンフォーマットデータ、コマンドデータ、キー表示データを取り込み、取り込んだデータをリモコン送信器に与えて、キーコマンドの割付とキー名の表示の設定を行い、また、シリアルバスを用いて複数の機器の機種種別情報、製造メーカ、機種名情報を取得して、リモコンデータと対にしてリモコン送信器に与えて、制御対象となる機器を具体的に表示させるように構成している。要するに、この従来技術は、デジタルインターフェイスを介してリモコンデータを抽出し、そのリモコンデータをリモコン送信器（リモコン装置）に直接的に伝送して記憶させ、記憶させたリモコンデータを読み出して、このリモコンデータに基づいてリモコン送信器のリモコンフォーマット、コマンドコードおよびキー表示の設定を行うものであり、これにより、極めて簡単にリモコン送信器のカスタマイズを実行することができるようにしている。
【特許文献１】特開２００２−２５２８８７号公報
【特許文献２】特開２００４−２０８２９０号公報
【特許文献３】特開２００５−１９８１１５号公報
【発明の開示】
【発明が解決しようとする課題】
【０００４】
しかしながら、特許文献１に記載の従来技術は、デジタルインターフェイスを介してリモコンデータを抽出し、そのリモコンデータをリモコン送信器（リモコン装置）に直接的に伝送して記憶させているが、この記憶させたリモコンデータがリモコン送信器に設定される所望のリモコンデータであるかの確認を行うことができないと言う課題が生じる。また、この従来技術は、映像機器としての例えばＤＶＤプレイヤに、表示装置としての例えばテレビジョン受像機を接続した場合、ＤＶＤプレイヤに付属されている１個のリモコン装置により、テレビジョン受像機をも操作できるようにしたものではないので、テレビジョン受像機に付属のリモコン装置を紛失した場合には、テレビジョン受像機を操作することができないと言う課題も生じる。
【０００５】
なお、特許文献２に記載の従来技術は、ディスプレイ（ディスプレイ装置）にセットトップボックス、ＤＶＤプレイヤなどのＡＶ機器を複数接続した場合に、各接続機器に対応するリモコンを用いて操作を行うものであり、この従来技術も、映像機器としての例えばＤＶＤプレイヤに、表示装置としての例えばテレビジョン受像機を接続した場合、ＤＶＤプレイヤに付属されている１個のリモコン装置により、テレビジョン受像機をも操作できるようにしたものではないので、テレビジョン受像機に付属のリモコン装置を紛失した場合には、テレビジョン受像機を操作することができないと言う課題も生じる。
【０００６】
また、特許文献３に記載の従来技術では、リモコンのメモリに副映像機器に適合の制御コードが記憶されていない場合、学習機能を利用して該当のリモコン制御コードを書き込むようにしている。しかし、この従来技術は、前記リモコンが元々テレビジョン受像機に付属のリモコンであった場合、このリモコンによってＤＶＤプレイヤなどを操作するには、ＤＶＤプレイヤの機能がテレビジョン受像機の機能に比べ遥かに多いので、テレビジョン受像機側のリモコンの操作キーを増加しなければならないので、そのリモコン自体を作り直さなければならないと言う課題が生じる。
【０００７】
本発明は、上記のような課題を解決するためになされたもので、元々機能の多い側の機器をメイン操作対象機器（ＤＶＤプレイヤ等）とし、このメイン操作対象機器に接続される機能の少ない側の機器を他の操作対象機器（テレビジョン受像機等）とし、メイン操作対象機器側のリモコン装置で他の操作対象機器をも操作可能にする遠隔操作システムを提供することを目的とする。
【課題を解決するための手段】
【０００８】
上記目的を達成するために、請求項１の発明は、メイン操作対象機器と、このメイン操作対象機器と所定のインターフェイスのケーブルを介して接続された他の操作対象機器とを、１個のリモコン装置により遠隔操作できるように構成された遠隔操作システムであって、前記メイン操作対象機器に、所定のインターフェイスのケーブルを介して前記他の操作対象機器と接続されたか否かを判定する接続判定手段と、前記接続されたと判定されたときに前記所定のインターフェイスの認証を行う認証処理手段と、前記認証が完了した後、リモコンコード設定モードに設定されている場合に、前記他の操作対象機器からメーカ名を含む所定形式の識別子データを取得する識別子データ取得手段と、前記取得された識別子データから前記他の操作対象機器のメーカ名を判別するメーカ名判別手段と、メーカ名とリモコンコードとの対応関係を示すテーブルを参照して前記判別されたメーカ名に対応するリモコンコードを選択するリモコンコード選択手段と、前記選択されたリモコンコードを前記リモコン装置に送信させる機器側リモコンコード送信制御手段とを設け、前記リモコン装置に、リモコンコード設定モードに設定されている場合に、前記メイン操作対象機器からのリモコンコードを受信させるリモコンコード受信制御手段と、複数の操作キーに予め割り当てされた操作キー番号に対応させて前記受信した当該メーカ名に対応するリモコンコードをメモリに記憶させるリモコンコード記憶処理手段と、前記受信したリモコンコードが正しいかどうかの確認のために前記受信したリモコンコードを前記メイン操作対象機器に送信させるリモコンコード送信制御手段とを設け、更に、前記メイン操作対象機器に、リモコンコード設定モードに設定されている場合に、前記リモコン装置からのリモコンコードを受信させる機器側リモコンコード受信制御手段と、前記リモコン装置から確認のために受信されたリモコンコードと送信したリモコンコードとが一致するか否かを判定するリモコンコード判定手段と、両リモコンコードが一致すると判定されたときに表示手段にリモコンコード設定完了を示すメッセージを表示させ、両リモコンコードが一致しないと判定されたときに表示手段にリモコンコード設定失敗を示すメッセージを表示させるメッセージ表示処理手段を設けたことを特徴とする遠隔操作システムを提供する。
【０００９】
この構成において、先ず、メイン操作対象機器（ＤＶＤプレイヤ等）に所定のインターフェイスのケーブル（ＨＤＭＩケーブル等）を介して他の操作対象機器（テレビジョン受像機等）が接続されると、接続判定手段は、他の操作対象機器と接続されたことを検知する。そして、認証処理手段は、前記所定のインターフェイスの認証を行い、リモコンコード設定モードに設定されている場合に、識別子データ取得手段は、前記認証が完了したと判定すると、識別子データを他の操作対象機器から取得する。そして、メーカ名判別手段は、前記取得された識別子データから他の操作対象機器のメーカ名を判別する。
【００１０】
他の操作対象機器のメーカ名が判別された結果、メーカ名が例えばＡ社であると判別された場合には、リモコンコード選択手段は、メーカ名とリモコンコードとの対応関係を示すテーブルを参照して、前記判別されたメーカ名Ａ社に対応するリモコンコードを選択する。Ａ社のリモコンコードの選択が行われた後、リモコンコード送信制御手段は、前記選択されたリモコンコードを送信させる。
【００１１】
リモコンコード設定モードに設定されている場合に、リモコン装置のリモコン受信制御手段は、メイン操作対象機器から送信されたリモコンコードを受信させる。リモコンコード記憶処理手段は、複数の操作キーに予め割り当てされた操作キー番号に対応させて、メイン操作対象機器から受信したメーカ名Ａ社に対応するリモコンコードをメモリに記憶させる。そして、リモコン送信制御手段は、メイン操作対象機器から受信したリモコンコードが正しいか否かの確認のために、前記受信したリモコンコードを送信させる。
【００１２】
メイン操作対象機器において、リモコンコード設定モードに設定されている場合に、リモコンコード受信制御手段は、リモコン装置から送信された前記確認のためのリモコンコードを受信させ、前記確認のためのリモコンコードを受信したことを検知すると、リモコンコード判定手段は、前記確認のためのリモコンコードと、送信したリモコンコードとが一致するか否かを判定する。
【００１３】
両リモコンコードが一致すると判定されたときに、メッセージ表示処理手段は、リモコンコード設定完了を示すメッセージを表示手段に表示させる。一方、両リモコンコードが一致しないと判定されたときには、メッセージ表示処理手段は、リモコンコード設定失敗を示すメッセージを表示手段に表示させる。
【００１４】
この構成によれば、元々機能の多い側の機器をメイン操作対象機器（ＤＶＤプレイヤ等）とし、このメイン操作対象機器に接続される機能の少ない側の機器を他の操作対象機器（テレビジョン受像機等）とし、メイン操作対象機器側のリモコン装置で他の操作対象機器をも操作可能にすることにより、他の操作対象機器（テレビジョン受像機等）側のリモコン装置を紛失した場合でも、メイン操作対象機器（ＤＶＤプレイヤ等）側のリモコン装置を使うことができるので、使い勝手が良い。また、メイン操作対象機器と他の操作対象機器をセットで販売する場合に、リモコン装置が１個で済むので、コストダウンを図れる。また、リモコン装置にリモコンコードの設定が正しく行われたかどうかを確認できるので、リモコン装置へのリモコンコード設定の信頼性が高まる。
【００１５】
請求項２の発明は、メイン操作対象機器と、このメイン操作対象機器と所定のインターフェイスのケーブルを介して接続された他の操作対象機器とを、１個のリモコン装置により遠隔操作できるように構成された遠隔操作システムであって、前記メイン操作対象機器に、所定のインターフェイスのケーブルを介して前記他の操作対象機器と接続されたか否かを判定する接続判定手段と、前記接続されたと判定されたときに前記所定のインターフェイスの認証を行う認証処理手段と、前記認証が完了した後、リモコンコード設定モードに設定されている場合に、前記他の操作対象機器からメーカ名を含む所定形式の識別子データを取得する識別子データ取得手段と、前記取得された識別子データから前記他の操作対象機器のメーカ名を判別するメーカ名判別手段と、メーカ名とリモコンコードとの対応関係を示すテーブルを参照して前記判別されたメーカ名に対応するリモコンコードを選択するリモコンコード選択手段と、前記選択されたリモコンコードを前記リモコン装置に送信させる機器側リモコンコード送信制御手段とを設け、前記リモコン装置に、リモコンコード設定モードに設定されている場合に、前記メイン操作対象機器からのリモコンコードを受信させるリモコンコード受信制御手段と、複数の操作キーに予め割り当てされた操作キー番号に対応させて前記受信した当該メーカ名に対応するリモコンコードをメモリに記憶させるリモコンコード記憶処理手段とを設けたことを特徴とする遠隔操作システムを提供する。
【００１６】
この構成において、先ず、メイン操作対象機器（ＤＶＤプレイヤ等）に所定のインターフェイスのケーブル（ＨＤＭＩケーブル等）を介して他の操作対象機器（テレビジョン受像機等）が接続されると、接続判定手段は、他の操作対象機器と接続されたことを検知する。そして、認証処理手段は、前記所定のインターフェイスの認証を行い、リモコンコード設定モードに設定されている場合に、識別子データ取得手段は、前記認証が完了したと判定すると、識別子データを他の操作対象機器から取得する。そして、メーカ名判別手段は、前記取得された識別子データから他の操作対象機器のメーカ名を判別する。
【００１７】
他の操作対象機器のメーカ名が判別された結果、メーカ名が例えばＡ社であると判別された場合には、リモコンコード選択手段は、メーカ名とリモコンコードとの対応関係を示すテーブルを参照して、前記判別されたメーカ名Ａ社に対応するリモコンコードを選択する。Ａ社のリモコンコードの選択が行われた後、リモコンコード送信制御手段は、前記選択されたリモコンコードを送信させる。
【００１８】
リモコンコード設定モードに設定されている場合に、リモコン装置のリモコン受信制御手段は、メイン操作対象機器から送信されたリモコンコードを受信させる。リモコンコード記憶処理手段は、複数の操作キーに予め割り当てされた操作キー番号に対応させて、メイン操作対象機器から受信したメーカ名Ａ社に対応するリモコンコードをメモリに記憶させる。
【００１９】
この構成によれば、元々機能の多い側の機器をメイン操作対象機器（ＤＶＤプレイヤ等）とし、このメイン操作対象機器に接続される機能の少ない側の機器を他の操作対象機器（テレビジョン受像機等）とし、メイン操作対象機器側のリモコン装置で他の操作対象機器をも操作可能にすることにより、他の操作対象機器（テレビジョン受像機等）側のリモコン装置を紛失した場合でも、メイン操作対象機器（ＤＶＤプレイヤ等）側のリモコン装置を使うことができるので、使い勝手が良い。また、メイン操作対象機器と他の操作対象機器をセットで販売する場合に、リモコン装置が１個で済むので、コストダウンを図れる。
【００２０】
請求項３の発明では、請求項２の発明において、前記リモコン装置に、前記受信したリモコンコードが正しいかどうかの確認のために前記受信したリモコンコードを前記メイン操作対象機器に送信させるリモコンコード送信制御手段を設け、前記メイン操作対象機器に、リモコンコード設定モードに設定されている場合に、前記リモコン装置からのリモコンコードを受信させる機器側リモコンコード受信制御手段と、前記リモコン装置から確認のために受信されたリモコンコードと送信したリモコンコードとが一致するか否かを判定するリモコンコード判定手段と、両リモコンコードが一致すると判定されたときに表示手段にリモコンコード設定完了を示すメッセージを表示させ、両リモコンコードが一致しないと判定されたときに表示手段にリモコンコード設定失敗を示すメッセージを表示させるメッセージ表示処理手段を設けたことを特徴とする。したがって、リモコン装置にリモコンコードの設定が正しく行われたかどうかを確認することができる。
【発明の効果】
【００２１】
以上のように第１の発明によれば、元々機能の多い側の機器をメイン操作対象機器（ＤＶＤプレイヤ等）とし、このメイン操作対象機器に接続される機能の少ない側の機器を他の操作対象機器（テレビジョン受像機等）とし、メイン操作対象機器側のリモコン装置で他の操作対象機器をも操作可能にすることにより、他の操作対象機器（テレビジョン受像機等）側のリモコン装置を紛失した場合でも、メイン操作対象機器（ＤＶＤプレイヤ等）側のリモコン装置を使うことができるので、使い勝手が良い。また、メイン操作対象機器と他の操作対象機器をセットで販売する場合に、リモコン装置が１個で済むので、コストダウンを図れる。また、リモコン装置にリモコンコードの設定が正しく行われたかどうかを確認できるので、リモコン装置へのリモコンコード設定の信頼性が高まる。
【００２２】
また、第２の発明によれば、元々機能の多い側の機器をメイン操作対象機器（ＤＶＤプレイヤ等）とし、このメイン操作対象機器に接続される機能の少ない側の機器を他の操作対象機器（テレビジョン受像機等）とし、メイン操作対象機器側のリモコン装置で他の操作対象機器をも操作可能にすることにより、他の操作対象機器（テレビジョン受像機等）側のリモコン装置を紛失した場合でも、メイン操作対象機器（ＤＶＤプレイヤ等）側のリモコン装置を使うことができるので、使い勝手が良い。また、メイン操作対象機器と他の操作対象機器をセットで販売する場合に、リモコン装置が１個で済むので、コストダウンを図れる。
【発明を実施するための最良の形態】
【００２３】
以下、添付図面を参照しつつ、本発明の実施の形態について説明する。図１は本発明の一実施形態に係る遠隔操作システムの構成をブロック図である。この実施形態では、メイン操作対象機器としてはＤＶＤプレイヤを、他の操作対象機器としてはテレビジョン受像機を例に挙げて説明するが、これに限らず、メイン操作対象機器としてはＤＶＤレコーダやハードディスクレコーダあるいはその他のＡＶ機器であっても良く、また、他の操作対象機器としては映像表示部および音声出力部を備えたモニタ装置であっても良い。
【００２４】
図１において、ＤＶＤプレイヤ１は、プレイヤ全体を制御するマイクロコンピュータなどを含むシステムコントローラ１１と、リモコン装置４から送信されてきたリモコンコードを受信するリモコン受信部１２と、リモコン装置４の操作パネル４２の操作キーの操作キー番号と該操作キーのリモコンコードをリモコン装置４に送信するリモコン送信部１３と、ＨＤＭＩ（High Definition Multimedia Interface）ケーブル３によって接続される他の操作対象機器としてのテレビジョン受像機２のメーカ名とリモコンコードとの対応関係を示すテーブルを記憶したフラッシュＲＯＭ１４と、文字情報をテレビジョン受像機２に表示させるＯＳＤ（On Screen Display）回路１５と、ＤＶＤやＣＤの記録情報を再生する再生部１６と、ＨＤＭＩケーブル３を介してテレビジョン受像機２と通信を行うＨＤＭＩ送信部１７とを備えている。
【００２５】
テレビジョン受像機２は、受像機全体を制御するマイクロコンピュータを含む制御部２１と、制御部２１の制御プログラムや受像機のメーカ名を含む所定形式の識別子データを有するＥＤＩＤ（Extended Display Identification Data）などを記憶したフラッシュＲＯＭ２２と、映像回路およびディスプレイ装置などを含み映像を表示する映像表示部２３と、音声回路およびスピーカなどを含み音声を出力する音声出力部２４と、ＨＤＭＩケーブル３を介してＤＶＤプレイヤ１と通信を行うＨＤＭＩ受信部２５とを備えている。
【００２６】
リモコン装置４は、リモコン全体を制御するマイクロコンピュータを含む制御部４１と、操作キー番号が予め割り当てられＤＶＤプレイヤ１などを遠隔操作する複数の操作キーが設けられた操作パネル４２と、操作パネル４２の操作キーに対応したリモコンコードをＤＶＤプレイヤ１に送信するリモコン送信部４３と、ＤＶＤプレイヤ１から送信されてきたリモコンコードを受信するリモコン受信部４４と、複数のリモコンコードを操作パネル４２の操作キーの操作キー番号に対応したアドレスに記憶するフラッシュＲＯＭ４５とを備えている。このリモコン装置４は、ＤＶＤプレイヤ１からのリモコンコードの波形を学習する機能を有している。
【００２７】
図２は本実施形態においてリモコン装置のキー配置の一例を示す図である。図２において、リモコン装置４の操作パネル４２には、電源キー４０１、トレイ開閉キー４０２、音量キー４０３、複数の数字キー４０４、ＤＶＤモード切換キー４０５、ＤＶＤモード確認用ＬＥＤ（発光ダイオード）４０６、ＴＶモード切換キー４０７、ＴＶモード確認用ＬＥＤ（発光ダイオード）４０８、上方向きー４０９、下方向キー４１０、左方向キー４１１、右方向キー４１２、決定キー４１３、早戻しキー４１４、停止キー４１５、再生キー４１６、早送りキー４１７などが配置されている。なお、ここでのキーの配置は一例であるので、これに限ることはない。
【００２８】
図３は本実施形態における遠隔操作システムの構成を簡略化した斜視図を示す。図３において、ＤＶＤプレイヤ１は、筐体１０１の前面の本体操作パネル１０２には、電源キー１０３、ＤＶＤやＣＤを挿入するためのトレイ１０４、表示部１０５などが設けられている。なお、これらの構成要素の配置は、一例であるので、これに限ることはない。
【００２９】
図４は本実施形態のＤＶＤプレイヤにおいてテレビジョン受像機が接続された場合に１個のリモコン装置でテレビジョン受像機も操作できるようにリモコンコードをリモコン装置に設定する処理を説明するためのフローチャートである。図５は本実施形態のリモコン装置においてＤＶＤプレイヤからのリモコンコードを受信したときの処理を説明するためのフローチャートである。これらのフローチャートおよび図１〜図３を参照してリモコンコードの設定に関する処理について説明する。
【００３０】
先ず、ＤＶＤプレイヤ１にＨＤＭＩケーブル３を介してテレビジョン受像機２が接続されると、その接続情報がＤＶＤプレイヤ１のＨＤＭＩ送信部１７を介してシステムコントローラ１１に入力され、これにより、システムコントローラ１１の接続判定手段は、ＤＶＤプレイヤ１がテレビジョン受像機２とＨＤＭＩ接続されたことを検知する（図４中のステップＳ１）。そして、システムコントローラ１１の認証処理手段は、ＨＤＭＩの認証を行い（ステップＳ２）、リモコンコード設定モードに設定されている場合に、識別子データ取得手段は、前記認証が完了したと判定すると（ステップＳ３）、ＥＤＩＤ １.３ Ｂｌｏｃｋ データをテレビジョン受像機２から取得する（ステップＳ４）。ＥＤＩＤ １.３ Ｂｌｏｃｋ データ（識別子データ）は、テレビジョン受像機２のフラッシュＲＯＭ２２に記憶されており、ＥＤＩＤ １.３ Ｂｌｏｃｋ データにおいて、アドレス０８ｈにはＩＤ  Ｍａｎｕｆａｃｔｕｒｅ  Ｎａｍｅ、アドレス０ＡｈにはＩＤ  Ｐｒｏｄｕｃｔ  Ｃｏｄｅ、アドレス０ＣｈにはＩＤ  Ｓｅｒｉａｌ  Ｎｕｍｂｅｒが、それぞれ記憶されている。
【００３１】
即ち、システムコントローラ１１の識別子データ取得手段は、ＨＤＭＩ送信部１７、ＨＤＭＩケーブル３、およびテレビジョン受像機２のＨＤＭＩ受信部２５を介して制御部２１に対して、ＥＤＩＤ １.３ Ｂｌｏｃｋ データをフラッシュＲＯＭ２２から読み出すための命令を与える。この命令に応答して、制御部２１は、フラッシュＲＯＭ２２からＥＤＩＤ １.３ Ｂｌｏｃｋ データを読み出して、ＨＤＭＩ受信部２５を介してＨＤＭＩケーブル３に送信する。そして、ＤＶＤプレイヤ１のシステムコントローラ１１の識別子データ取得手段は、ＤＭＩ送信部１７を介して、ＥＤＩＤ １.３ Ｂｌｏｃｋ データを取得する。
【００３２】
このＥＤＩＤ １.３ Ｂｌｏｃｋ データには、ＩＤ  Ｍａｎｕｆａｃｔｕｒｅ  Ｎａｍｅと、ＩＤ  Ｐｒｏｄｕｃｔ  Ｃｏｄｅと、ＩＤ  Ｓｅｒｉａｌ  Ｎｕｍｂｅｒとが含まれるので、テレビジョン受像機２のメーカ名と生産コードとシリアル番号とを判別することができる。ここでは、同じメーカのテレビジョン受像機では、機種に関係なく同じリモコンコードが用いられているとした場合、メーカ名だけでテレしジョン受像機２に対するリモコンコードが分かるので、システムコントローラ１１のメーカ名判別手段は、前記取得されたＥＤＩＤ １.３ Ｂｌｏｃｋ データからテレビジョン受像機２のメーカ名を判別する（ステップＳ５）。
【００３３】
なお、同じメーカのテレビジョン受像機でも、機種によってリモコンコードが異なる場合は、ＩＤ  Ｍａｎｕｆａｃｔｕｒｅ  Ｎａｍｅに加えてＩＤ  Ｐｒｏｄｕｃｔ  Ｃｏｄｅも判別すれば、当該テレビジョン受像機に用いられているリモコンコードが分かる。更に、同じメーカのテレビジョン受像機でも、機種およびシリアル番号によってもリモコンコードが異なる場合は、ＩＤ  Ｍａｎｕｆａｃｔｕｒｅ  Ｎａｍｅに加えて、ＩＤ  Ｐｒｏｄｕｃｔ  ＣｏｄｅおよびＩＤ  Ｓｅｒｉａｌ  Ｎｕｍｂｅｒも判別すれば、当該テレビジョン受像機に用いられているリモコンコードが分かる。
【００３４】
ステップＳ５においてテレビジョン受像機２のメーカ名が判別された結果、メーカ名がＡ社であると判別された場合には（ステップＳ６）、システムコントローラ１１のリモコンコード選択手段は、フラッシュＲＯＭ１４に記憶されているメーカ名とリモコンコードとの対応関係を示すテーブルを参照して、前記判別されたメーカ名Ａ社に対応するリモコンコードを選択する（ステップＳ９）。また、メーカ名がＢ社であると判別された場合には（ステップＳ７）、システムコントローラ１１のリモコンコード選択手段は、前記テーブルを参照して、前記判別されたメーカ名Ｂ社に対応するリモコンコードを選択する（ステップＳ１０）。また、メーカ名がＣ社であると判別された場合には（ステップＳ８）、システムコントローラ１１のリモコンコード選択手段は、前記テーブルを参照して、前記判別されたメーカ名Ｃ社に対応するリモコンコードを選択する（ステップＳ１１）。
【００３５】
Ａ社のリモコンコードの選択、またはＢ社のリモコンコードの選択、またはＣ社のリモコンコードの選択が行われた後、システムコントローラ１１のリモコンコード送信制御手段は、前記選択されたリモコンコードをリモコン送信部１３に入力し、これにより、リモコン送信部１３は、前記選択されたリモコンコードを光信号のリモコンコードとして送信する（ステップＳ１２）。
【００３６】
リモコンコード設定モードに設定されている場合に、リモコン装置４の制御部４１のリモコン受信制御手段は、ＤＶＤプレイヤ１からの送信されてきた光信号のリモコンコードをリモコン受信部４４で受信させ（図５中のステップＮ１）、電気信号のリモコンコードに変換させる。制御部４１のリモコンコード記憶処理手段は、操作パネル４２の複数の操作キーに予め割り当てされた操作キー番号に対応させて、ＤＶＤプレイヤ１から受信した当該メーカ名（Ａ社またはＢ社またはＣ社）に対応するリモコンコードをフラッシュＲＯＭ４５に記憶させる（ステップＮ２）。そして、制御部４１のリモコン送信制御手段は、ＤＶＤプレイヤ１から受信したリモコンコードが正しいか否かの確認のために、前記受信したリモコンコードをリモコン送信部４３より送信させる（ステップＮ３）。
【００３７】
ＤＶＤプレイヤ１において、リモコンコード設定モードに設定されている場合に、システムコントローラ１１のリモコンコード受信制御手段は、リモコン装置４から送信された前記確認のためのリモコンコードをリモコン受信部１２により受信させ、前記確認のためのリモコンコードを受信したことを検知すると（ステップＳ１３）、システムコントローラ１１のリモコンコード判定手段は、前記確認のためのリモコンコードと、リモコンコード送信部１３より送信したリモコンコードとが一致するか否かを判定する（ステップＳ１４）。なお、前記送信したリモコンコードは、フラッシュＲＯＭ１４に一時的に記憶されるので、フラッシュＲＯＭ１４から前記送信したリモコンコードを読み出して、前記確認のためのリモコンコードと比較すれば、両リモコンコードが一致するか否かの判定が可能になる。
【００３８】
両リモコンコードが一致すると判定されたときに、システムコントローラ１１のメッセージ表示処理手段は、フラッシュＲＯＭ１４に予め記憶されているリモコンコード設定完了を示すメッセージのデータを読み出し、ＯＳＤ回路１５でＯＳＤ処理し、ＨＤＭＩ送信部１７を介してＨＤＭＩケーブル３に送信する。テレビジョン受像機２では、ＨＤＭＩ受信部２５でリモコンコード設定完了を示すメッセージのデータを受信し、制御部２１は、ディスプレイ装置である映像表示部２３に、リモコンコード設定完了を示すメッセージを表示させる（ステップＳ１５）。
【００３９】
一方、両リモコンコードが一致しないと判定されたときに、システムコントローラ１１のメッセージ表示処理手段は、フラッシュＲＯＭ１４に予め記憶されているリモコンコード設定失敗を示すメッセージのデータを読み出し、ＯＳＤ回路１５でＯＳＤ処理し、ＨＤＭＩ送信部１７を介してＨＤＭＩケーブル３に送信する。テレビジョン受像機２では、ＨＤＭＩ受信部２５でリモコンコード設定失敗を示すメッセージのデータを受信し、制御部２１は、ディスプレイ装置である映像表示部２３にリモコンコード設定完了を示すメッセージを表示させる（ステップＳ１５）。
【００４０】
以上のような処理により、リモコンコードが設定されたリモコン装置４は、ＤＶＤモード切換キー４０５が押下されると、操作対象がＤＶＤプレイヤ１になり、ＴＶモード切換キー４０７が押下されると、操作対象がテレビジョン受像機２になる。また、ＤＶＤモードに設定されているときは、ＤＶＤモード確認用ＬＥＤ４０６が表示され、ＴＶモードに設定されているときは、ＴＶモード確認用ＬＥＤ４０８が表示されるので、リモコン装置４の現在モードが分かり、ユーザにとっては使い勝手が良い。
【００４１】
以上説明したように本実施形態によれば、ＤＶＤプレイヤ側のリモコン装置でテレビジョン受像機をも操作可能にすることにより、テレビジョン受像機側のリモコン装置を紛失した場合でも、ＤＶＤプレイヤ側のリモコン装置を使うことができるので、使い勝手が良い。また、ＤＶＤプレイヤとテレビジョン受像機をセットで販売する場合に、リモコン装置が１個で済むので、コストダウンを図れる。また、リモコン装置にリモコンコードの設定が正しく行われたかどうかを確認できるので、リモコン装置へのリモコンコード設定の信頼性が高まる。
【産業上の利用可能性】
【００４２】
本発明は、ＤＶＤプレイヤなどのＡＶ機器とテレビジョン受像機やモニタ装置とが接続された場合に、ＡＶ機器側のリモコンでテレビジョン受像機やモニタ装置をも操作可能にする構成に利用可能である。
【図面の簡単な説明】
【００４３】
【図１】本発明の一実施形態に係る遠隔操作システムの構成をブロック図である。
【図２】前記実施形態においてリモコン装置のキー配置の一例を示す図である。
【図３】前記実施形態における遠隔操作システムの構成を簡略化した斜視図を示す。
【図４】前記実施形態のＤＶＤプレイヤにおいてテレビジョン受像機が接続された場合に１個のリモコン装置でテレビジョン受像機も操作できるようにリモコンコードをリモコン装置に設定する処理を説明するためのフローチャートである。
【図５】前記実施形態のリモコン装置においてＤＶＤプレイヤからのリモコンコードを受信したときの処理を説明するためのフローチャートである。
【符号の説明】
【００４４】
１    ＤＶＤプレイヤ（メイン操作対象機器）
２    テレビジョン受像機（他の操作対象機器）
３    ＨＤＭＩケーブル（所定のインターフェイスケーブル）
４    リモコン装置
１１    システムコントローラ（接続判定手段、認証処理手段、識別子データ取得手段、メーカ名判別手段、リモコンコード選択手段、機器側リモコンコード送信制御手段、機器側リモコンコード受信制御手段、リモコンコード判定手段、メッセージ表示処理手段）
２３    映像表示部（表示手段）
４１    制御部（リモコンコード受信制御手段、リモコンコード記憶処理手段、リモコンコード送信制御手段）
４５    フラッシュＲＯＭ（メモリ）
【図１】
2008098963.tif 000003
【図２】
2008098963.tif 000004
【図３】
2008098963.tif 000005
【図４】
2008098963.tif 000006
【図５】
2008098963.tif 000007